(57)【特許請求の範囲】
【請求項１】
１枚毎に全て異なるＩＤ番号を付されたプリペイドカードの使用状況を記憶するとともにプリペイドカード発行機からＩＤ番号の登録依頼があったときその登録の可否を判断するターミナルコントローラと、
遊技機毎に対応して設けられ前記プリペイドカードから該プリペイドカードに記録されたデータを読取るとともに該プリペイドカードにデータを書込むカードリーダライタを含み、該カードリーダライタにカードが挿入されたとき読取りデータを前記ターミナルコントローラへ送信するとともに、前記プリペイドカードの読取りデータに基づく前記遊技機に対する遊技媒体の投出完了により該プリペイドカードの更新後の残額を前記ターミナルコントローラへ送信するカードユニットと
を具備し、前記ターミナルコントローラは、前記カードユニットから送信された前記プリペイドカードの前記残額を該プリペイドカードに対応するＩＤ番号に対応して管理する遊技場システムにおいて、
前記カードユニットは、
前記遊技媒体の投出中における前記プリペイドカードの引抜きを検知するプリペイドカード引抜き検知手段と、
前記プリペイドカード引抜き検知手段によってプリペイドカードの引抜きが検知されたときに、その時点での前記プリペイドカードの残額を算出する算出手段と、
前記プリペイドカード引抜き検知手段によってプリペイドカードの引抜きが検知された場合は、前記算出手段で算出された前記プリペイドカードの残額と該プリペイドカードが不正に引き抜かれたことを示す引抜きエラーとを前記ターミナルコントローラへ送信する送信手段と
を具備し、
前記ターミナルコントローラは、
前記送信手段で送信された前記引抜きエラーを該プリペイドカードのＩＤ番号に対応して記録する記録手段
を具備することを特徴とする遊技場システム。
【発明の詳細な説明】
【０００１】
【発明の属する技術分野】
本発明はＩＤ番号の記録されたプリペイドカードを使用する遊技場システムに関し、特に、カードの不正引き抜きによる被害を有効に防止するようにした遊技システムに関する。
【０００２】
【従来技術】
従来、例えばパチンコ店におけるカードシステムにおいては、予め顧客がプリペイドカードを購入し、そのカードを用いて顧客がパチンコ台の横に設置された玉貸機にカードを挿入し、玉貸ボタン（一般には、パチンコ台の方に設けられている）を１回押すと、予め設定された金額分、例えば３００円分（店によって異なる。また、顧客が自由に設定するようなタイプの玉貸機もある。）の玉がパチンコ台の上皿に出てくる。カードの残額がなくなるまで玉貸ボタンにより玉を借りることができ、途中でやめたいときには、カード返却ボタン（これもパチンコ台に設けられている）を押すと、残額が記録されてカードが返却されるようになっている。このプリペイドカードの金額は、１万円、５０００円、３０００円、１０００円等のものが一般的である。
【０００３】
しかし、このカードシステムは、プリペイドカードをどの店に持っていっても使えるようにして顧客の便を図った反面、カードの偽造が横行し、大きな社会的問題となっている。
【０００４】
また、これを防ぐカードシステムも提案されている。例えば特開昭６１−１４３０８５号公報に示されているシステムのように、カード１枚毎にＩＤ番号をとり、偽造防止を図るものもある。このシステムでは、新規にカードを発行する際、店のコンピュータにＩＤ番号の登録要求を行ない、その結果を店のコンピュータからカード発行機が受信した後に、カードにそのＩＤ番号等を含むデータの印字及び磁気データの記録を行なうようにしている。また、カードから所定金額分の玉を引き落とす際に、店のコンピュータに残額を確認するようになっているが、１回の引き出しは１度数と限られている。最近になって、１回の引き出しが１度数では物足りなくなり、１回の引き出しで例えば５度数、つまり５００円分の玉を投出するようになってきている。
【０００５】
【発明が解決しようとする課題】
しかしながら、上記システムでは、１回引き出し要求があり残度数が５度数（５００円分）以上あった場合には５度数を減算してから、玉の投出を許可しており、玉の投出途中で玉切れ等が生じると、減算はすでに完了しているのに、顧客に対して、玉の払い出しが完了しておらず、係員によるエラー処理が極めて困難になるという問題が生じている。従って、引き出し要求があったときに残度数があれば、減算する前に玉の投出指令を出し、玉の投出が完了した時点で減算するようにした方が、玉切れ等への対処が容易である。しかし、そのようにすると、玉の投出が完了する前に顧客により不正に玉詰まりを起こされ、カードが引き抜かれると、減算が一切なされておらず、このカードを用いて、減算前の残度数があるものとして、別の玉貸機から再度この残度数分の玉の引き出しが可能となってしまうという問題があった。
【０００６】
そこで、本発明は、遊技媒体の投出が完了する前に顧客により不正に遊技媒体詰まりを起こされ、カードが引き抜かれるというようなカードの不正引き抜きがあった場合でも被害を有効に防止することができるようにした遊技システムを提供することを目的とする。
【０００７】
【課題を解決するための手段】
上記目的を達成するため、本発明の装置では、カードが引き抜かれると、その時点での残額とエラー情報とをターミナルコントローラへ送信して、ターミナルコントローラで引抜きを記録する様にしたことを特徴とする。
【０００８】
すなわち、本発明では、１枚毎に全て異なるＩＤ番号を付されたプリペイドカードの使用状況を記憶するとともにプリペイドカード発行機からＩＤ番号の登録依頼があったときその登録の可否を判断するターミナルコントローラと、遊技機毎に対応して設けられ前記プリペイドカードから該プリペイドカードに記録されたデータを読取るとともに該プリペイドカードにデータを書込むカードリーダライタを含み、該カードリーダライタにカードが挿入されたとき読取りデータを前記ターミナルコントローラへ送信するとともに、前記プリペイドカードの読取りデータに基づく前記遊技機に対する遊技媒体の投出完了により該プリペイドカードの更新後の残額を前記ターミナルコントローラへ送信するカードユニットとを具備し、前記ターミナルコントローラは、前記カードユニットから送信された前記プリペイドカードの前記残額を該プリペイドカードに対応するＩＤ番号に対応して管理する遊技場システムにおいて、前記カードユニットは、前記遊技媒体の投出中における前記プリペイドカードの引抜きを検知するプリペイドカード引抜き検知手段と、前記プリペイドカード引抜き検知手段によってプリペイドカードの引抜きが検知されたときに、その時点での前記プリペイドカードの残額を算出する算出手段と、前記プリペイドカード引抜き検知手段によってプリペイドカードの引抜きが検知された場合は、前記算出手段で算出された前記プリペイドカードの残額と該プリペイドカードが不正に引き抜かれたことを示す引抜きエラーとを前記ターミナルコントローラへ送信する送信手段とを具備し、前記ターミナルコントローラは、前記送信手段で送信された前記引抜きエラーを該プリペイドカードのＩＤ番号に対応して記録する記録手段を具備することを特徴とする。
【００１２】
【発明の実施の形態】
本発明では、例えば、カード挿入部の光学センサＢ（ｓ１、ｓ２、ｓ３、ｓ４）をモニタしておき、この光学センサの出力からカードが引き抜かれたのを検出できるようにし、その時点での残額とエラー情報とをターミナルコントローラに送信して、前記ターミナルコントローラでは、この引抜きエラーをプリペイドカードのＩＤ番号に対応して記録するようにしたことを特徴とする。
このようにして、引抜きが検知された時点で、ターミナルコントローラは、その時点での残額データと引き抜きエラーがあったことを検知しており、玉貸し途中で引き抜きがあった場合には、再発行時に確実にチェックすることができ、不正を防止することができる。
【００１３】
【実施例】
以下、本発明の一実施例を図面を参照しつつ詳細に説明する。図１および図２は本発明の遊技媒体供給システムの概略を示す概略図およびシステムブロック図である。この装置では、センター１を中心にしてこのセンターの管理コンピュータ２に公衆回線網３を介して接続された各遊技店にターミナルコントローラ１０が設けられ、これらには複数の島が接続され、各島は島コントローラ４０によって制御される複数の遊技ユニット５０と、プリぺイドカードの発行、販売を行うカード発行機２０とで構成されている。通常、各島毎に１台程度のカード発行機が設けられ、発行すべきＩＤ番号が予め記憶され、貨幣の投入後顧客により選択指定された金額分のデータ及びＩＤ番号等がカードに磁気記録されプリペイドカードとして発行される。この際、ターミナルコントローラへ発行の可否を問い合わせ、発行可のときのみ発行される。この磁気データには、発行日も含まれ、発行されるプリペイドカードには、図３に示すようにＩＤ番号、有効期限、発行金額などのデータが、印字される。
【００１４】
すなわち、本発明の遊技場システムでは、１枚毎に全て異なるＩＤ番号を付されたプリペイドカードの使用状況を記憶するとともにプリペイドカード発行機２０からＩＤ番号の登録依頼があったときその登録の可否を判断するターミナルコントローラ１０と、遊技台毎に対応して設けられ前記プリペイドカードを読取るとともに情報を書込むカードリーダライタを含み、このカードリーダライタにカードが挿入されたとき読取りデータを前記ターミナルコントローラ１０へ送信するとともに、遊技媒体の投出に基づき更新額を前記ターミナルコントローラへ送信するカードユニット７０とからなり、前記カードユニットは、光学センサｓ２とｓ３とで構成されたプリペイドカードの引抜き検知手段を備え、この引抜き検知手段によってプリペイドカードの引抜きが検知されたときに、その時点での残額と引抜きエラーとを前記ターミナルコントローラ１０へ送信し、前記ターミナルコントローラでは、この引抜きエラーをそのプリペイドカードのＩＤ番号に対応して記録するようにしたことを特徴とする。
【００１５】
このプリぺイドカード発行機２０は、このシステムを導入している店舗のみ（但し、発行店以外では、後述する条件を満たす場合のみ使用可能）使用することのできる「ハウスカード」を販売する。尚、本実施例では、カード発行時にカード１枚毎に固有のＩＤ番号を付与しカードのデータはターミナルコントローラで一括管理している。
また、各遊技店毎に１台程度のカード更新機３０が設けられ、最初のカード発行日から８日間の有効期限がきれてかつカード発行日から１ヶ月以内の場合に、この更新機３０にカードを挿入すると、カードのＩＤ番号及びカードのデータが管理コンピュータで照合され、ＯＫのときには残額分を当初度数とする新しいカードが発行される（図４参照）。このとき新しい８日間の有効期限が記録される。尚、発行日から８日間以内は、そのカードの発行店でのみ通用し、それ以降はこのシステムを導入している他店でも更新機にカードを入れることにより、その店で遊技することができる。更新は繰り返して行なえる。また、この遊技ユニット５０は通貨と等価な有価データの記録されたプリぺイドカードから有価データの読み書きを行うとともに遊技者による遊技台への遊技媒体の貸し出し要求に基づき、有価データの範囲内で、前記遊技媒体を貸し出すように構成されたカードユニット（ＣＲユニット）７０と、遊技台６０とで構成され、各構成要素はＬＡＮ（ローカルエリアネットワーク）で接続され、互いにデータ交換を行うことができるようになっている。
【００１６】
そしてターミナルコントローラ１０は、システム全体の制御を行う制御部とメモリとディスプレイなどの表示部と、キーボード、プリンタなどの入出力部とから構成されている。そしてこのターミナルコントローラは、センター１の管理コンピュータ２と公衆回線網３で接続されており、この管理コンピュータ２を用いてターミナルコントローラ１０内のデータを管理できるようになっている。
【００１７】
図５は遊技ユニット５０の一例を示す正面図であり、遊技台６０と、その左に設置されるカードユニット７０と、上部に配設される台ランプ部８０とで構成されている。遊技台６０はここではパチンコ台であり、柱状の遊技台本体６１には、カード残高を表示する度数表示部６２と、玉貸しが可能であることを示す玉貸し可能表示ランプ６３、押すことによりあらかじめ設定された金額分（例えば２００円分）の玉を排出するための玉貸しボタン６４、カードの返却を行うための返却ボタン６５などが設けられている。台ランプ部８０は左右に設けられた２つのメインランプ８１、中央付近に設けられた大当たり回数表示部８２、食事中表示部８３、ラッキー表示部８４、無制限表示部８５、食事中ボタン８６、呼び出しボタン８７、切り替えボタン８８を備えている。メインランプ８１は係員呼び出しのための呼び出しボタン８７が押された時に点灯し、「７７７」などの大当たりのときに、遊技台側から送出された大当たり信号に応答して点滅する装飾ランプである。この大当たりの時はラッキー表示部８４も点滅する。
【００１８】
図６はカードユニット７０の一例を示す正面図であり、状態表示ランプ７１はカード挿入可能時に点灯し、カード引き抜きの発生などのアラーム発生時や遊技台未接続時に点滅するようになっている。７２は取り出し用の取っ手である。またその下には台方向表示ランプ７３が設けられ利用可能な台がカードユニットに対して右側に存在しているか、あるいは左側に存在しているかを表示するもので、図示の例では右向きの矢印となっていて利用可能な遊技台は右側に存在していることがわかる。カードユニットがパチンコ台の右側に設置された時は左向きの矢印が表示される。７４は種別表示ランプでありパチンコ玉かメダルかを表示する。その下は金額表示部７５であり、金額設定ボタン７６によって金額設定がなされたものを表示する。金額設定ボタン７６は、押下されるたびに設定金額が５００円、１００円、２００円、３００円と変わるようになっている。また端数表示ボタン７７は端数表示を指示するものである。７８はプリぺイドカード挿入口である。７９はリセットキーである。
【００１９】
またこのカードユニット７０は遊技台６０からの玉購入額情報を受け取り、残高を計算して記憶すると共に遊技台６０に残高情報を送信し、また、玉購入額情報を島コントローラ４０に対して出力するようになっている。ここで島コントローラ４０とカードユニット７０との間は例えば２本の伝送線を用いて互いに反転関係にある信号を送り、データの信頼性を高めた送受信方式を採用する。
【００２０】
図７にカードユニット７０の制御系をブロック図で示す。カードユニット７０の制御系は、演算処理を行うＣＰＵ７０ａと、プログラム、制御データなどを記憶するＲＯＭ７０ｂと、動作状態のプログラム・データを記憶するＲＡＭ７０ｃと、プリペイドカードの記録情報を読取り、書き込むプリペイドカードリーダライタ７０ｄ、島コントローラ４０との通信を仲介する通信インターフェース７０ｅなどによって構成されるが、遊技台本体６１内の玉貸しボタン６４、カード返却ボタン６５、玉を投出する投出部６６などとも接続されている。
【００２１】
そしてプリペイドカードリーダライタ７０ｄは図８に示すように、カード情報の読取りおよび書き込みをおこなう磁気ヘッドＡと、カード処理のタイミング用の光学センサＢ（Ｓ１〜Ｓ４）と、残額の割合印字を行う印字ヘッドＣ、搬送ローラＲでカードの搬送制御を行う搬送制御部Ｄとを具備している。Ｓ１はカード挿入検知用フォトセンサ、Ｓ２、Ｓ３は各種タイミング検知用フォトセンサ、Ｓ４はカード搬送停止用フォトセンサであり、これらの出力はＣＰＵ７０ａに入力され、カードの挿入状態および引き抜きがあったか否か等を検知するとともに、搬送制御部Ｄに入力され、カードの搬送制御を行うようになっている。上記フォトセンサＳ１〜Ｓ４の一部又は、全部を用いてカードの引抜きを検知する。尚、カードユニット７０のＣＰＵ７０ａ、ＲＯＭ７０ｂ、ＲＡＭ７０ｃ及び光学センサＢが、引き抜き検出手段に相当する。
【００２２】
次に、本発明実施例の装置の動作について説明する。
まず、カードデータの処理は、図９に説明図を示すように、カードユニット７０でカードの挿入および玉貸しが行われる際、カードユニットの要求に基づき、島コントローラ４０を介してターミナルコントローラ１０でカードの整合性チェックおよび減算を行いその結果を返信するという処理がなされる。まずカードユニット７０においてカードの挿入がなされると島コントローラ４０にカードチェックを行い、島コントローラではポーリング処理を行い複数台分のデータをブロッキングして、ターミナルコントローラ１０にカードチェックを行う。そしてターミナルコントローラは要求されたカードに対応するデータが存在するか、存在する場合そのカードの当初度数、現在度数がターミナルコントローラに記録された登録データを越えていないか更に引き抜きカードでないかをチェックする。チェックＯＫであれば、島コントローラ４０に結果を送出する。そして島コントローラ４０はターミナルコントローラからのチェック結果をカードユニット７０にスルーする。そして、玉貸しボタンが押され、玉貸しがなされた場合はカードユニットで減算した後、残額を更新するよう減算要求を出し、ターミナルコントローラでチェックしＯＫならばターミナルコントローラにおけるそのカードのデータを更新後度数に書き換えて、島コントローラへＯＫを送出する。一方このとき、カードの不正引き抜きがなされると、光学センサＢのタイミングセンサ例えばｓ２、ｓ３がこれを検知する。そして、ＣＰＵ７０ａを介して島コントローラ４０にエラー要求が出され、島コントローラ４０からターミナルコントローラ１０にエラー要求が伝達され、記録がなされる。さらに、ＯＫの信号をカードユニットが受信すれば、次に引き抜き時点での残額を同様に送信し、ターミナルコントローラで記録されＯＫの信号が返ってくれば終了する。例えば後に、引き抜かれたカードが再びカードユニットのカード挿入口に挿入されると島コントローラ４０にカードチェック要求を行い、島コントローラでは、ターミナルコントローラ１０にカードチェック要求を行う。そしてターミナルコントローラは要求されたカードに対応するデータが存在するか、存在する場合そのカードの当初度数、現在度数がターミナルコントローラに記録された登録データを越えていないか更に引き抜きカードでないかをチェックする。チェック結果を同様に島コントローラ４０に送出し島コントローラ４０はターミナルコントローラからのチェック結果をカードユニット７０にスルーし、チェックＮＧの場合はカードを返却するか、取り込んだままエラー表示及びアラームを行ない係員に報知する。チェックＯＫなら玉貸しボタンが押され、玉貸しが実行される・・というように、不正防止を行いながら操作が続行される。なお、この例においてはエラー要求と減算要求とはそれぞれ別に送信しているが引抜きエラーがあったときには、その時点での残額もあわせて一度に送信するようにしてもよい。
一方、途中引き抜きがなく正常に挿入された状態でカード返却ボタンが押されたときも玉貸しボタンのときと同様に減算要求し、ＯＫの信号を受信すれば正常に終了する。
【００２３】
次にこれらの処理をフローチャートを参照しつつ詳細に説明する。図１０は、本発明にかかるプリペイドカードの使用における動作を示すフローチャートである。
動作が開始され（ステップ１０１）、リーダライタ７０ｄにプリペイドカードが挿入される（ステップ１０２）と、カード読み込みがなされ（ステップ１０３）、プリペイドカードの残額があるかどうか、店番データなどがチェックされ（ステップ１０４）、店番エラーがあったり、残額がないような場合にはカードの返却を行なう（ステップ１０５）。また、場合によってはカードを取り込んだままエラーダウンさせてもよい。
【００２４】
また、店番エラーもなく残額がある場合、貸し出し度数表示および残高表示がなされる（ステップ１０６）と、ターミナルコントローラ１０に問い合わせを行いターミナルコントローラによるカードチェックがなされる（ステップ１０７）。
【００２５】
そして不正カードであると判断されると、カードを取り込んだままエラーダウンとなり（ステップ１０８）、店員の処理待ちとなる。
一方、カードチェックにより適正であると判断されると、操作待ち（ステップ１０９）となる。なお、ここまでの間はボタンの使用はできないが、この時点ではじめて金額設定ボタンの押下（ステップ１１０）、端数表示ボタンの押下（ステップ１１１）、貸し出しボタンの押下（ステップ１１２）、返却ボタンの押下（ステップ１１３）ができることになる。
【００２６】
そして貸し出しボタンの押下がなされ（ステップ１１２）がなされた場合は図１１に示すように、パチンコ玉の投出信号が遊技機の貸し玉投出部に出力される（ステップ２０１）。なお、玉は１度数１００円分は自動的に投出され、１００円分の玉を投出している途中で玉切れになっても補給すれば残り分は投出される。そして、所定金額分の玉の投出が完了すると、玉投出部から完了信号が送出される。この完了信号が得られてはじめて、更新残額がターミナルコントローラに送信される。
【００２７】
ところでこの送信前の時点で、プリペイドカードの引き抜きが行われ、リーダライタ７０ｄの光学センサＢによってカードの引き抜きが検知されたか否かの判断がなされ（ステップ２０２）、引抜きがなされたと判断されると、エラー表示（ステップ２０３）、玉投出部への投出停止指令（ステップ２０４）、エラーデータの作成（ステップ２０５）を行った後、その時点での正しい更新残額が算出され（ステップ２０６）、残高表示がなされる（ステップ２０７）。
【００２８】
そして、ターミナルコントローラにカードのＩＤとエラーデータおよび減算後の金額データを送ることにより、エラー要求を行う（ステップ２０８）。そして、ターミナルコントローラ１０からのエコーバックにより結果を受信し（ステップ２０９）、ＯＫであるかどうかの判断を行い（ステップ２１０）、ＮＧであればエラーダウン（ステップ２１１）する。そしてＯＫであれば、待機中となる（ステップ２１２）。尚、エラー要求があったときには、そのＩＤの番号に対応して、引抜きエラーをターミナルコントローラのメモリに記憶する。あるいは、引抜きエラーのみのファイルにカードのＩＤ番号を記憶する。
【００２９】
一方、前記判断ステップ２０２でカードの引き抜きがなされなかったと判断されると、残金額算出（ステップ２１３）、残高減算表示（ステップ２１４）を行い、ターミナルコントローラにカードのＩＤと減算後の金額データを送ることにより、減算要求を行う（ステップ２１５）。そして、ターミナルコントローラからのエコーバックにより結果を受信し（ステップ２１６）、ＯＫであるかどうかの判断を行い（ステップ２１７）、ＮＧであればエラーダウン（ステップ２１１）する。そして、ＯＫであれば貸し出し１回目であるか否か（ステップ２１８）の判断がなされ、１回目でないときは既にカード処理中フラグがカードに書き込まれているが、１回目である時はカードにカード処理中フラグを書き込み（ステップ２１９）、例えば引出しが２度数である２００円に応じた数の遊技媒体（貸し玉／メダルが）受け皿に供給される。カード残高があるかどうかの判断を行う（ステップ２２０）。残高があれば操作待ち（ステップ２２２）である。この状態は図１０に示した操作待ち１０９と同様の状態であり、以後も、貸し出しボタンを押す度に、同じ引出し度数に応じた数の遊技媒体（貸し玉／メダル）が受け皿に供給される。またこの貸し出しボタンの押下（ステップ１１２）の他、再び金額設定ボタンの押下（ステップ１１０）、端数表示ボタンの押下（ステップ１１１）、返却ボタンの押下（ステップ１１３）ができることになる。ここでステップ２２０のカード残高判断ステップにおいて、端数金額が例えば５０円ならば、遊技者は、貸し出しボタンを押しても引出し単位度数の１００円よりも少ない金額なので遊技媒体の供給は行えない。この場合、つまりカードの残度数が引出し度数の最低単位（１度数）よりも少なくなった場合には、新たなプリペイドカードの使用が必要となる。
【００３０】
一方、端数が生じることなくプリペイドカード内の残金が０になった場合には、カード挿入口からプリペイドカードが返却される（ステップ２２１）。あるいは、カードリーダライタを介して図示されていない回収経路によって回収することもできる。
このようにカード残高がなければ返却処理となる。
【００３１】
また、遊技媒体の供給を行っていく途中で、プリペイドカード内の残高度数が引出し度数よりも少なくなった場合には、貸出指令ボタン１１２を押すと、残りの度数分の遊技媒体が供給される。例えば、設定度数が３で３００円のとき、２度数分しか残っていなくても、２００円分の遊技媒体が供給される。貸し玉の投出が終わると自動的に残度数が表示部に表示される。投出が終わりカードの残度数が０になると自動的にカードは返却される。
【００３２】
また図１０のフローチャートにおける操作待ちの状態で、カード返却をしたいとき、返却ボタンを押下する。
【００３３】
更にターミナルコントローラ側では、図１２に示すように、ターミナルコントローラが待機状態（ステップ４０１）で、カードユニットからのカード残高減算要求があるか否かの判断がなされ（ステップ４０２）減算要求がないときは、カードユニットからのエラー要求がなされたかどうかの判断を行う（ステップ４０３）。そしてこの判断ステップで、エラー要求がなかったと判断された場合は、カードユニットから問い合わせがあったか否かの判断がなされる（ステップ４０４）。そして問い合わせがあった時はカードの内容とターミナルコントローラの記憶内容とを照合し（ステップ４０５）、両者の内容が一致しているか否かの判断がなされ（ステップ４０６）、不一致であればＮＧ信号が送信され（ステップ４０８）、一致していれば、ＯＫ信号が送信される（ステップ４０７）。そして待機中となる。
【００３４】
またステップ４０２において、カード残高減算要求があるか否かの判断がなされ、減算要求があった時は、図１３に示すようにカードの内容とターミナルコントローラの記憶内容とを照合し（ステップ４０９）、両者の内容が一致しているか否かの判断がなされ（ステップ４１０）、不一致であればＮＧ信号が送信される（ステップ４１１）。そして、一致していれば、カードのＩＤ毎に管理されている残金額を減算し（ステップ４１２）、この減算処理がＯＫであるか否かの判断がなされる（ステップ４１３）。そしてＮＧであればＮＧ信号が送信され（ステップ４１４）、ＯＫであればＯＫ信号が送信され（ステップ４１５）、カードデータの更新が保存される（ステップ４１６）。
【００３５】
さらにまた図１２におけるエラー要求がなされたか否かの判断を行う判断ステップ４０３においてエラー要求があったと判断された場合は、ターミナルコントローラＴ／Ｃ１０では引抜きエラーがあったことを記録し（ステップ４１７）、エラーを確認したことを島コントローラ４０を介してカードユニット７０に送信する（ステップ４１８）。そして待機中となる。また、カードユニットより問い合わせがあったか否かの判断ステップ４０４で、なかったと判断された場合は、再びステップ４０２のカード残高減算要求があったか否かの判断ステップに戻る。
【００３６】
次に、このように設定のなされたカードユニットに、前述したような途中で引抜きを行ったカードが挿入された場合、図１０に示した１回目のカード挿入時と同様にまずカードが挿入されたかどうかの判断を行い（ステップ１０２）、カードが挿入されたと判断された場合には、リーダライタ７０ｄの磁気ヘッドＡを用いて当該カードにかかれている磁気データの読取りを行う（ステップ１０３）。そしてこのデータをターミナルコントローラに送出して、問い合わせを行う。このとき、ターミナルコントローラでは引抜き記録ファイルに格納されているデータと照合し、引抜きカードであることが検知されると、エラー表示をしてエラーダウンとする。また、エラー表示をすることなく、ターミナルコントローラの残高データに基づき、カードリーダライタは残高データの書き換えを行い、このデータに基づいて、玉貸しを続行できるようにしてもよい。
【００３７】
すなわち、カードの内容とターミナルコントローラの記憶内容とを照合し、カードの残額の方がターミナルコントローラに記憶された残額より多いときには、ターミナルコントローラの残高データに基づき、カードリーダライタは残高データの書き換えを行い、玉貸しを続行する。
【００３８】
一方、磁気データを読めないようにして、係員に再発行を求めた場合、ターミナルコントローラに問い合わせを行うことにより、容易に残額が検知でき、正確な残額が検知できる。また、図１１では貸し出しボタンが押された後のみ、引き抜きを検知するフローとなっているが、実際には、カードが挿入された後は、常時カードの引き抜きを監視しており、引き抜きが検知された時点で割り込み信号によりターミナルコントローラへ送信される。
【００３９】
なお、前記実施例では、パチンコ玉の玉貸し機について説明したが、スロットマシンのメダル貸し機に適用してもよい。また、カードにはユニットに挿入した時に処理中フラグ１を記録しているが、この記録はしなくてもよい。また、正常に返却動作がなされた場合に残額をカードに印字記録し直すようにしているが、残額をカードに一切印字記録しないようなシステムでもよい。
【００４０】
また、実施例では、カードはロール紙のものを用いてその都度印字・磁気記録してカットして一時保留しているが、予めカットしたカードに印字・磁気記録してもよい。また、予め金額のみを印刷したカードを金額毎に収納しておき、そのカードに磁気データのみを記録するようにしてもよい。
【００４１】
また、本発明では、玉投出は遊技台より行なっているが、カードユニットと玉投出部が一体となった玉貸機あるいはカードユニットとメダル投出部が一体となったメダル貸機等でもよい。
【００４２】
【発明の効果】
以上説明したように、本発明の装置によれば、玉貸し途中で引き抜きがあった場合には、再発行時に確実にチェックすることができ、不正を防止でき、また、引抜きが検知された時点で、ターミナルコントローラは、その時点での残額データと引き抜きエラーがあったこととを検知しているため、被害が発生しないようにすることができる。
【図面の簡単な説明】
【図１】本発明実施例で用いられる処理システムを示す図
【図２】同システムの機能ブロック図
【図３】本発明実施例の装置で形成したプリペイドカードを示す図
【図４】本発明実施例の装置で形成した更新カードを示す図
【図５】本発明実施例の遊戯ユニットを示す図
【図６】本発明実施例のカードユニットを示す図
【図７】カードユニットの制御系の機能ブロック図
【図８】カードリーダライタを示す図
【図９】本発明実施例のシステムで用いられる登録要求のシーケンスを示す図
【図１０】本発明実施例のシステムの動作を示すフローチャート図
【図１１】本発明実施例のシステムの動作を示すフローチャート図
【図１２】本発明実施例のシステムの動作を示すフローチャート図
【図１３】本発明実施例のシステムの動作を示すフローチャート図
【符号の説明】
１０  ターミナルコントローラ
２０  カード発行機
３０  カード更新機
４０  島コントローラ
５０  遊技ユニット
６０  遊技台
Ａ  磁気ヘッド
Ｂ  光学センサ
Ｃ  印字ヘッド
Ｄ  カード搬送制御部
７０ａ  ＣＰＵ
７０ｂ  ＲＯＭ
７０ｃ  ＲＡＭ
７０ｄ  カードリーダライタ
７０ｅ  通信インターフェース
【図１】
0003821247.tif 000002
【図２】
0003821247.tif 000003
【図３】
0003821247.tif 000004
【図４】
0003821247.tif 000005
【図５】
0003821247.tif 000006
【図６】
0003821247.tif 000007
【図７】
0003821247.tif 000008
【図８】
0003821247.tif 000009
【図９】
0003821247.tif 000010
【図１０】
0003821247.tif 000011
【図１１】
0003821247.tif 000012
【図１２】
0003821247.tif 000013
【図１３】
0003821247.tif 000014